(57)【要約】      （修正有）【課題】カードスタンドとしても利用できるダブルクリップを提供する。【解決手段】ダブルクリップは、側面視略二等辺三角形形状の金属製のクリップ本体１２と、金属線材を折り曲げてなる一対の開閉レバー１４とからなる。開閉レバー１４は、クリップ本体１２の軸受け部１２ｄに枢支されている。軸受け部１２ｄには、切込みが形成されており、この切込みに開閉レバー１４が係合した状態で、クリップ本体１２の底板と、開閉レバー１４の先端が、一直線上に位置することで、このダブルクリップをカードホルダーとして用いることができる。【選択図】図６
2020097164.tif 000002
【特許請求の範囲】
【請求項１】
底板と、この底板の長さ方向両端縁からそれぞれ延設される一対の挟持板とで構成される側面視略二等辺三角形形状の金属製のクリップ本体と、
金属線材を折り曲げてなり、幅方向に略円弧状に膨出する摘み部と、この摘み部の両端部からそれぞれ延出し先端にいくにつれて幅方向に緩やかに拡開するアーム部と、アーム部の先端から幅方向外向きに延出する回動軸部とで構成される一対の開閉レバーとからなり、
前記クリップ本体の夫々の挟持板の先端縁の幅方向両側はそれぞれさらに前方向に延出したのち外側に向かって筒状に丸められ、一対の軸受け部を形成し、
前記軸受け部の幅方向内側には前記開閉レバーの回動軸部を挿入するための一対の差し込み口が設けられており、
前記開閉レバーの前記回動軸部は、前記軸受け部の前記差し込み口に挿入された状態で、前記クリップ本体に対して回動可能となっており、
前記開閉レバーは、前記回動軸部が前記軸受け部の前記差し込み口に挿入された状態で、前記開閉レバー自体の弾性によって幅方向外側に付勢され、前記アーム部は、この付勢力によって前記軸受け部の前記差し込み口の縁に当接しており、
前記軸受け部の前記差し込み口の夫々の縁には、切込みが形成されており、前記アーム部がこの切込みに係合した状態で、前記開閉レバーは前記クリップ本体に対して係止され、
前記アーム部がこの切込みに係合した状態で、前記開閉レバーが前記クリップ本体に対して係止された場合に、前記クリップ本体の底板と、前記開閉レバーの夫々の摘み部の先端が、一直線上に位置することを特徴とするダブルクリップ。
【発明の詳細な説明】
【技術分野】
【０００１】
本発明は、名刺やメモ用紙等のカード状部材を保持するカードスタンドとしても利用できるダブルクリップに関する。
【背景技術】
【０００２】
紙葉類を束ねるためにしばしば用いられている挟持具として、ダブルクリップがある。このダブルクリップは、弾性力を有する板材を側面視略二等辺三角形状に折り曲げてクリップ本体を形成し、これに金属線を折り曲げた開閉レバーを起伏自在に取り付けたものである（例えば、特許文献１参照）。ダブルクリップは、２〜１００枚を超える紙を簡単に束ねられて、不要になればすぐ外せて元通りとすることができ便利であることから、事務所などでは必須の文具として利用されている。
【先行技術文献】
【特許文献】
【０００３】
【特許文献１】実公平３−４４５４５号公報
【発明の概要】
【発明が解決しようとする課題】
【０００４】
ダブルクリップは、非常に広範囲に用いられているため、どのオフィスの机の引き出しにも数個以上ねむっていることが多い。一方、名刺やメモ用紙等のカード状部材を保持するカードスタンドも市販されているが、こちらは必ずしも不可欠の文具ではないため、あれば便利だが特に常備されているものではない。
【０００５】
そこで、本発明の目的は、カードスタンドとしても利用できるダブルクリップを提供することである。
【課題を解決するための手段】
【０００６】
上記課題を解決するために、本発明の１つの様相によるダブルクリップは、底板と、この底板の長さ方向両端縁からそれぞれ延設される一対の挟持板とで構成される側面視略二等辺三角形形状の金属製のクリップ本体と、金属線材を折り曲げてなり、幅方向に略円弧状に膨出する摘み部と、この摘み部の両端部からそれぞれ延出し先端にいくにつれて幅方向に緩やかに拡開するアーム部と、アーム部の先端から幅方向外向きに延出する回動軸部とで構成される一対の開閉レバーとからなり、前記クリップ本体の夫々の挟持板の先端縁の幅方向両側はそれぞれさらに前方向に延出したのち外側に向かって筒状に丸められ、一対の軸受け部を形成し、前記軸受け部の幅方向内側には前記開閉レバーの回動軸部を挿入するための一対の差し込み口が設けられており、前記開閉レバーの前記回動軸部は、前記軸受け部の前記差し込み口に挿入された状態で、前記クリップ本体に対して回動可能となっており、前記開閉レバーは、前記回動軸部が前記軸受け部の前記差し込み口に挿入された状態で、前記開閉レバー自体の弾性によって幅方向外側に付勢され、前記アーム部は、この付勢力によって前記軸受け部の前記差し込み口の縁に当接しており、前記軸受け部の前記差し込み口の夫々の縁には、切込みが形成されており、前記アーム部がこの切込みに係合した状態で、前記開閉レバーは前記クリップ本体に対して係止され、前記アーム部がこの切込みに係合した状態で、前記開閉レバーが前記クリップ本体に対して係止された場合に、前記クリップ本体の底板と、前記開閉レバーの夫々の摘み部の先端が、一直線上に位置することを特徴とする。
【発明の効果】
【０００７】
本発明に係わるダブルクリップは、クリップとしての利用に加えて、名刺などのカードを挟んで掲示しておけるカードスタンドとしても利用できる。
【図面の簡単な説明】
【０００８】
【図１】図１は、本発明の実施例に係るダブルクリップ１０を示す斜視図である。
【図２】図２は、本発明の実施例に係るダブルクリップ１０のクリップ本体１２の軸受け部１２ｄを、上方向から見た平面図である。
【図３】図３は、本発明の実施例に係るダブルクリップ１０のクリップ本体１２の正面図である。
【図４】図４は、本発明の実施例に係るダブルクリップ１０を真横から見た側面図であり、開閉レバー１４が、ダブルクリップ１０をカードホルダーとしての利用するのに適した位置にある状態を示している。
【図５】図５は、本発明の実施例に係るダブルクリップ１０を真横から見た側面図であり、開閉レバー１４が、テコの力でダブルクリップ１０の口を開くのに適した位置にある状態を示している。
【図６】図６は、本発明の実施例２に係るダブルクリップ１０を、カードホルダーとして利用している状態を示す斜視図である。
【発明を実施するための形態】
【０００９】
以下、添付図面を参照しながら、本発明によるダブルクリップの実施例を説明する。図１は、ダブルクリップ１０の斜視図である。このダブルクリップ１０は、クリップ本体１２と、一対の開閉レバー１４とからなる。
【００１０】
クリップ本体１２は、金属製の弾性板材を加工したもので、底板１２ｂと、これの長さ方向両端縁から上方向にそれぞれ延設される一対の挟持板１２ｃとで構成される側面視略二等辺三角形形状に形成されている。一方、開閉レバー１４は、剛性の高い金属線材を折り曲げてなるもので、幅方向に略円弧状に膨出する摘み部１４ａ、該摘み部の両端部からそれぞれ延出し先端にいくにつれて幅方向に緩やかに拡開するアーム部１４ｂ、さらにアーム部１４ｂの先端から幅方向外向きに延出する回動軸部１４ｃとで構成されている。
【００１１】
また、クリップ本体１２の夫々の挟持板１２ｃの先端縁の幅方向両側はそれぞれさらに前方向（底板１２ｂが配された側とは反対の方向）に延出したのち外側（お互いが離れる方向）に向かって筒状に丸められ、一対の軸受け部１２ｄを形成している。この軸受け部１２ｄの夫々は、開閉レバー１４をクリップ本体１２に枢支するための軸受け部としての役割を担っており、幅方向内側にはこの開閉レバー１４の回動軸部１４ｃを挿入するための一対の差し込み口１２ｅが設けられている。更に、これら一対の差し込み口１２ｅの間には、開閉レバー１４の回動軸部１４ｃの先端を軸受け部１２ｄ内に導くための案内部１２ｆが形成されている。
【００１２】
開閉レバー１４は、クリップ本体１２の回動軸部１４ｃが差し込み口１２ｅに挿入されている状態で、開閉レバー１４の弾性によって、幅方向外側に付勢されている。従って、差し込み口１２ｅの内側の形状によって、クリップ本体１２に対する安定位置が決まることになる。この差し込み口１２ｅの内側の形状が、本発明の重要な構成要件となっているので、以下差し込み口１２ｅの内側の形状を詳細に説明する。
【００１３】
図２は、クリップ本体１２の軸受け部１２ｄを、上方向から見た平面図（すなわち、底板１２ｂとは反対側から見た図）である。図から明らかな通り、差し込み口１２ｅは、中央に向かって（幅方向外側に）斜めに入り込んでいる。この形状によって、幅方向の外側に付勢されている開閉レバー１４は、真上に立っている角度、すなわち図１のような状態で安定することがわかる。この状態で、開閉レバー１４のアーム部１４ｂの先端は、差し込み口１２ｅの最も奥側に付勢されている。
【００１４】
図３は、クリップ本体１２の正面図である。図で、点線は、従来の軸受け部の形状を示している。この点線の形状では、頂点Ｐの上側と下側の双方で、幅方向外側に入り込んでいる。従って、幅方向の外側に付勢されている開閉レバー１４は、頂点Ｐの上側にある時、頂点Ｐの上側方向に回動するように付勢される。従って、上記の通り、開閉レバー１４は、真上に立っている角度、すなわち図１のような状態で安定することがわかる。また、開閉レバー１４は、頂点Ｐの下側にある時、頂点Ｐの下側方向に回動するように付勢される。これにより、開閉レバー１４は、反対方向（下方向）に倒れて、挟持板１２ｃに当接している状態（図５参照）でも、安定することがわかる。
【００１５】
本発明では、この頂点Ｐの下側に切込みＣを設けて、下向きの途中の角度でも安定するようにした。夫々の開閉レバー１４のアーム部１４ｂの先端が、この切込みＣに係合した状態では、図４に示したように、クリップ本体の底板１２ｂと、開閉レバー１４の夫々の摘み部１４ａの先端は、一直線上に位置する。従って、図６に示したように、名刺やメモ用紙などのカードＮを挟んだ状態で、カードホルダーとして机の上などに安定して置くことができる。
【００１６】
従って、上記した本発明によるダブルクリップの実施例においては、開閉レバー１４は、クリップ本体１２に対して次の３種類の角度で安定する。まず、紙葉類を束ねて収納している状態では、一対の開閉レバー１４は、図１（紙葉類は示されていない）に示したように上向きに合わさった位置にある。また、紙を挟むために、ダブルクリップ１０の口を開く際には、図５に示したようにアーム部１４ｂが挟持板１２ｃに当接している位置におく。更に、ダブルクリップ１０をカードホルダーとして用いる場合には、図６に示したように、開閉レバー１４のアーム部１４ｂを、中間位置に固定する。
【産業上の利用可能性】
【００１７】
以上のように、本発明によるダブルクリップによれば、クリップとしての利用に加えて、カードスタンドとしても利用できる。
【符号の説明】
【００１８】
１０  ダブルクリップ
１２  クリップ本体
１２ｂ  底板
１２ｃ  挟持板
１２ｄ  軸受け部
１２ｅ  差し込み口
１２ｆ  案内部
１４  開閉レバー
１４ａ  摘み部
１４ｂ  アーム部
１４ｃ  回動軸部
Ｃ  切込み
Ｐ  頂点
Ｎ  カード
【図１】
2020097164.tif 000003
【図２】
2020097164.tif 000004
【図３】
2020097164.tif 000005
【図４】
2020097164.tif 000006
【図５】
2020097164.tif 000007
【図６】
2020097164.tif 000008